(57)【要約】【課題】除染ガスの室内凝縮を防止する。【解決手段】除染ガス発生器２に対する除染剤水溶液Ｗの単位時間あたりの投入量Ｌｇを調整して除染ガスＧの単位時間あたりの発生量Ｖｇを調整することで、室内除染ガス濃度Ｃを設定目標濃度Ｃｍに調整し、この濃度調整状態において除染剤水溶液Ｗの単位時間あたりの投入量Ｌｇに基づき室内湿度ｘの単位時間あたりの上昇量ｘｇを演算することで、除染実施中において室内除染ガスＧの凝縮が生じるか否かを、室内湿度ｘの単位時間あたりの上昇量ｘｇの演算値と、その時点における室内湿度ｘの計測値とに基づいて判定し、この判定において除染実施中に室内除染ガスＧの凝縮が生じるときには除湿機３を運転して対象室１の室内を除湿し、この判定において除染実施中に室内除染ガスＧの凝縮が生じないときには除湿機３の運転を停止する。【選択図】図１
2014150837.tif 000002
【特許請求の範囲】
【請求項１】
除染ガス発生器で除染剤水溶液を蒸発させて除染ガスを発生させ、この発生除染ガスを対象室に充満させることで対象室の室内を除染する除染方法であって、
前記除染ガス発生器に対する除染剤水溶液の単位時間あたりの投入量を調整して前記除染ガス発生器における除染ガスの単位時間あたりの発生量を調整することで、対象室における室内除染ガス濃度を対象室の室内除染に有効な設定目標濃度に調整し、
この濃度調整状態において前記除染剤水溶液の単位時間あたりの投入量に基づき対象室における室内湿度の単位時間あたりの上昇量を演算することで、除染実施中に対象室において室内除染ガスの凝縮が生じるか否かを、前記室内湿度の単位時間あたりの上昇量の演算値と、その時点における対象室の室内湿度の計測値とに基づいて判定し、
この判定において除染実施中に室内除染ガスの凝縮が生じるときには除湿機を運転して対象室の室内を除湿し、前記判定において除染実施中に室内除染ガスの凝縮が生じないときには除湿機の運転を停止する除染方法。
【請求項２】
対象室における室内除染ガス濃度が設定目標濃度であるときの対象室における室内除染ガスの単位時間あたりの分解量を演算し、
この室内除染ガスの単位時間あたりの分解量の演算値に基づき前記除染ガス発生器に対する除染剤水溶液の単位時間あたりの投入量を演算して、この除染剤水溶液の単位時間あたりの投入量の演算値に基づき、対象室における室内除染ガス濃度が設定目標濃度であるときの前記室内湿度の単位時間あたりの上昇量を演算する請求項１記載の除染方法。
【請求項３】
前記判定において除染実施中に室内除染ガスの凝縮が生じるときには、前記除湿機を運転するとともに、除染実施中における室内除染ガスの凝縮を回避するのに必要な対象室における単位時間あたりの必要除湿量を、前記室内湿度の単位時間あたりの上昇量の演算値と、その時点における対象室の室内湿度の計測値とに基づき演算して、その単位時間あたりの必要除湿量の演算値に応じて前記除湿機の単位時間あたりの除湿量を調整する請求項１又は２記載の除染方法。
【請求項４】
前記単位時間あたりの必要除湿量の演算値が前記除湿機の単位時間あたりの最大除湿量より大きいとき、前記除染ガス発生器に対する除染剤水溶液の投入を停止して除染ガスの発生を停止する請求項３記載の除染方法。
【請求項５】
除染ガスの発生停止後、前記除湿機を運転して対象室の室内を除湿するとともに、その室内除湿により対象室における室内湿度の計測値が除染再開用の設定閾湿度まで低下したとき、前記除染ガス発生器に対する除染剤水溶液の投入を再開して除染ガスの発生を再開する請求項４記載の除染方法。
【請求項６】
請求項１に記載した除染方法の実施に用いる除染システムであって、
前記除染剤水溶液の単位時間あたりの投入量を調整して対象室の室内除染ガス濃度を前記設定目標濃度に調整するとともに前記除湿機を制御する制御器を設け、
この制御器は、前記除染剤水溶液の単位時間あたりの投入量に基づき対象室における室内湿度の単位時間あたりの上昇量を演算することで、除染実施中に対象室において室内除染ガスの凝縮が生じるか否かを、前記室内湿度の単位時間あたりの上昇量の演算値と、その時点における対象室の室内湿度の計測値とに基づいて判定し、
この判定において除染実施中に室内除染ガスの凝縮が生じるときには前記除湿機を運転して対象室の室内を除湿し、前記判定において除染実施中に室内除染ガスの凝縮が生じないときには除湿機の運転を停止する構成にしてある除染システム。
【請求項７】
前記制御器は、前記判定において除染実施中に室内除染ガスの凝縮が生じるとき、前記除湿機を運転するとともに、除染実施中における室内除染ガスの凝縮を回避するのに必要な対象室における単位時間あたりの必要除湿量を、前記室内湿度の単位時間あたりの上昇量の演算値と、その時点における対象室の室内湿度の計測値とに基づき演算して、その単位時間あたりの必要除湿量の演算値に応じて前記除湿機の単位時間あたりの除湿量を調整する構成にしてある請求項６記載の除染システム。
【発明の詳細な説明】
【技術分野】
【０００１】
本発明は、除染ガス発生器で除染剤水溶液を蒸発させて除染ガスを発生させ、この発生除染ガスを対象室に充満させることで対象室の室内を除染する除染方法、及び、その除染方法を実施する除染システムに関する。
【背景技術】
【０００２】
従来、この種の除染方法及び除染システムとして、特許文献１に見られるように、対象室の室内空気を予め除湿及び加熱して所定の温度湿度に調整し、その上で、除染ガス発生器で除染ガスとして過酸化水素ガス（即ち、過酸化水素水溶液の蒸発で生じる過酸化水素蒸気）を発生させて、その過酸化水素ガスを対象室に充満させることで対象室の室内を除染するものが提案されている。
【先行技術文献】
【特許文献】
【０００３】
【特許文献１】特開２０１１−２４４８４４
【発明の概要】
【発明が解決しようとする課題】
【０００４】
しかし、上記従来の除染方法及び除染システムでは、過酸化水素ガスを除染ガスとして対象室に充満させるのに先立ち対象室の室内空気を予め除湿機により除湿して所定の湿度に調整するものの、その後は、室内空気の除湿を停止した状態で過酸化水素ガスを発生させて対象室に充満させる除染を実施するため、過酸化水素ガスの発生に伴う水蒸気の発生や過酸化水素ガスの自己分解による水分発生で対象室の室内湿度が上昇し、この室内湿度の上昇により過酸化水素ガスの凝縮が促進されることで、対象室において室内の過酸化水素ガスが凝縮する虞があった。
【０００５】
そして、この過酸化水素ガスの室内凝縮が生じることで、対象室における室内の過酸化水素ガス濃度が低下して対象室の室内除染が不完全になり易い、また、過酸化水素ガスの凝縮液が有する強い腐食性により対象室における室内物品の劣化が進むなどの不都合を招く問題があった。
【０００６】
この実情に鑑み、本発明の主たる課題は、除染ガスによる除染において合理的な除湿制御を行うことで上記問題を効果的に解消する点にある。
【課題を解決するための手段】
【０００７】
本発明の第１特徴構成は除染方法に係り、その特徴は、
除染ガス発生器で除染剤水溶液を蒸発させて除染ガスを発生させ、この発生除染ガスを対象室に充満させることで対象室の室内を除染する除染方法であって、
前記除染ガス発生器に対する除染剤水溶液の単位時間あたりの投入量を調整して前記除染ガス発生器における除染ガスの単位時間あたりの発生量を調整することで、対象室における室内除染ガス濃度を対象室の室内除染に有効な設定目標濃度に調整し、
この濃度調整状態において前記除染剤水溶液の単位時間あたりの投入量に基づき対象室における室内湿度の単位時間あたりの上昇量を演算することで、除染実施中に対象室において室内除染ガスの凝縮が生じるか否かを、前記室内湿度の単位時間あたりの上昇量の演算値と、その時点における対象室の室内湿度の計測値とに基づいて判定し、
この判定において除染実施中に室内除染ガスの凝縮が生じるときには除湿機を運転して対象室の室内を除湿し、前記判定において除染実施中に室内除染ガスの凝縮が生じないときには除湿機の運転を停止する点にある。
【０００８】
この構成の除染方法によれば、対象室における室内除染ガス濃度を対象室の室内除染に有効な設定目標濃度に調整する対象室の除染において、除染実施中に対象室で室内除染ガスの凝縮が生じるか否かを上記判定により正確に予測することができる。
【０００９】
そして、この判定において除染実施中に室内除染ガスの凝縮が生じるとき除湿機を運転して対象室の室内を除湿することで、除染実施中における対象室での室内除染ガスの凝縮を未然に確実に回避することができ、これにより、室内除染ガスの凝縮が原因で、対象室における室内除染ガス濃度が低下して対象室の室内除染が不完全になったり、室内除染ガスの凝縮液が有する強い腐食性により対象室における室内物品の劣化が進むなどの不都合を招くことを確実に回避することができる。
【００１０】
また、上記判定において除染実施中に室内除染ガスの凝縮が生じないときは除湿機の運転を停止するから、除湿機の必要以上の無駄な運転も回避することができる。
【００１１】
しかも、このように除染実施中における除湿機の必要に応じた運転により室内除染ガスの凝縮を回避するから、室内除染ガスの凝縮を防止するために除染ガスとともに換気用空気を対象室に導入するとともに、その換気用空気の導入量に等しい室内空気を対象室から排出する換気の併行実施を不要にすることができ、これにより、室内空気とともに対象室から持ち出される室内除染ガスを無くすことができて、その分、除染剤水溶液の必要量も効果的に低減することができる。
【００１２】
本発明の第２特徴構成は、第１特徴構成の除染方法の実施に好適な実施形態を特定するものであり、その特徴は、
対象室における室内除染ガス濃度が設定目標濃度であるときの対象室における室内除染ガスの単位時間あたりの分解量を演算し、
この室内除染ガスの単位時間あたりの分解量の演算値に基づき前記除染ガス発生器に対する除染剤水溶液の単位時間あたりの投入量を演算して、この除染剤水溶液の単位時間あたりの投入量の演算値に基づき、対象室における室内除染ガス濃度が設定目標濃度であるときの前記室内湿度の単位時間あたりの上昇量を演算する点にある。
【００１３】
この構成の除染方法では、前記濃度調整により対象室における室内除染ガス濃度を設定目標濃度に調整して、その濃度状態を保持した状態では、対象室における室内除染ガスの単位時間あたりの分解量と除染ガス発生器に対する除染剤水溶液の単位時間あたりの投入量とが平衡状態になり、それら分解量と投入量との間に一定の相関が生じることを利用して、除染ガス発生器に対する除染剤水溶液の単位時間あたりの投入量を室内除染ガスの単位時間あたりの分解量の演算値に基づき演算する。
【００１４】
そして、この投入量の演算値に基づき室内湿度の単位時間あたりの上昇量を演算するから、除染ガス発生器に対する除染剤水溶液の単位時間あたりの投入量を計測する流量計の如きものを不要にしながら、前記の判定に用いる室内湿度の単位時間あたりの上昇量を正確に演算することができる。
【００１５】
本発明の第３特徴構成は、第１又は第２特徴構成の除染方法の実施に好適な実施形態を特定するものであり、その特徴は、
前記判定において除染実施中に室内除染ガスの凝縮が生じるときには、前記除湿機を運転するとともに、除染実施中における室内除染ガスの凝縮を回避するのに必要な対象室における単位時間あたりの必要除湿量を、前記室内湿度の単位時間あたりの上昇量の演算値と、その時点における対象室の室内湿度の計測値とに基づき演算して、その単位時間あたりの必要除湿量の演算値に応じて前記除湿機の単位時間あたりの除湿量を調整する点にある。
【００１６】
この構成の除染方法によれば、単位時間あたりの必要除湿量の演算値に応じて除湿機の単位時間あたりの除湿量を調整するから、除染実施中における室内除染ガスの凝縮を確実に回避しながら、除湿機を必要以上の過剰な出力状態で運転することも回避することができる。
【００１７】
本発明の第４特徴構成は第３特徴構成の除染方法の実施に好適な実施形態を特定するものであり、その特徴は、
前記単位時間あたりの必要除湿量の演算値が前記除湿機の単位時間あたりの最大除湿量より大きいとき、前記除染ガス発生器に対する除染剤水溶液の投入を停止して除染ガスの発生を停止する点にある。
【００１８】
この構成の除染方法によれば、単位時間あたりの必要除湿量の演算値に対して除湿機の単位時間あたりの最大除湿量が小さいことで（即ち、除湿機の能力不足で）、対象室の除染において対象室の室内湿度の上昇を十分に抑えることができず、そのことで室内除染ガスの凝縮を招いてしまうことを未然に回避することができ、この点で、室内除染ガスの凝縮による種々の不都合を一層効果的に回避することができる。
【００１９】
本発明の第５特徴構成は、第４特徴構成の除染方法の実施に好適な実施形態を特定するものであり、その特徴は、
除染ガスの発生停止後、前記除湿機を運転して対象室の室内を除湿するとともに、その室内除湿により対象室における室内湿度の計測値が除染再開用の設定閾湿度まで低下したとき、前記除染ガス発生器に対する除染剤水溶液の投入を再開して除染ガスの発生を再開する点にある。
【００２０】
この構成の除染方法によれば、上記除染ガス発生の再開（即ち室内除染の再開）の後、再び単位時間あたりの必要除湿量の演算値として除湿機の単位時間あたりの最大除湿量より大きい演算値が演算されて除染ガスの発生を再度停止したとしても、その後、除湿機の運転により対象室における室内湿度の計測値が除染再開用の設定閾湿度まで再び低下することに対し除染ガスの発生を再び再開する形態で、対象室の室内除染を間欠的（断続的）に実施して対象室の室内除染を完了することができる。
【００２１】
なお、このように対象室の実内除染を間欠的に行う場合、各回の除染において対象室における室内除染ガス濃度が設定目標濃度に調整されて保持された状態での経過時間を積算し、この経過時間の積算値が所定の必要除染時間に達したときに室内除染を完了するようにすればよい。
【００２２】
本発明の第６特徴構成は、第１特徴構成の除染方法を実施する除染システムに係り、その特徴は、
前記除染剤水溶液の単位時間あたりの投入量を調整して対象室の室内除染ガス濃度を前記設定目標濃度に調整するとともに前記除湿機を制御する制御器を設け、
この制御器は、前記除染剤水溶液の単位時間あたりの投入量に基づき対象室における室内湿度の単位時間あたりの上昇量を演算することで、除染実施中に対象室において室内除染ガスの凝縮が生じるか否かを、前記室内湿度の単位時間あたりの上昇量の演算値と、その時点における対象室の室内湿度の計測値とに基づいて判定し、
この判定において除染実施中に室内除染ガスの凝縮が生じるときには前記除湿機を運転して対象室の室内を除湿し、前記判定において除染実施中に室内除染ガスの凝縮が生じないときには除湿機の運転を停止する構成にしてある点にある。
【００２３】
この構成の除染システムによれば、前述した第１特徴構成の除染方法を上記制御器により自動的に実施することができて、除染作業を容易にすることができ、また、第１特徴構成の除染方法による作用効果をより確実に得ることができる。
【００２４】
本発明の第７特徴構成は、第６特徴構成の除染システムの実施に好適な実施形態を特定するものであり、その特徴は、
前記制御器は、前記判定において除染実施中に室内除染ガスの凝縮が生じるとき、前記除湿機を運転するとともに、除染実施中における室内除染ガスの凝縮を回避するのに必要な対象室における単位時間あたりの必要除湿量を、前記室内湿度の単位時間あたりの上昇量の演算値と、その時点における対象室の室内湿度の計測値とに基づき演算して、その単位時間あたりの必要除湿量の演算値に応じて前記除湿機の単位時間あたりの除湿量を調整する構成にしてある点にある。
【００２５】
この構成の除染システムによれば、前述した第３特徴構成の除染方法を上記制御器により自動的に実施することができて、除染作業を一層容易にすることができ、また、第３特徴構成の除染方法による作用効果をより確実に得ることができる。
【００２６】
なお、これら第６又は第７特徴構成の除染システムを実施するのに、付加構成として、
制御器は、対象室における室内除染ガス濃度が設定目標濃度であるときの対象室における室内除染ガスの単位時間あたりの分解量を演算し、
この室内除染ガスの単位時間あたりの分解量の演算値に基づき前記除染ガス発生器に対する除染剤水溶液の単位時間あたりの投入量を演算して、この除染剤水溶液の単位時間あたりの投入量の演算値に基づき、対象室における室内除染ガス濃度が設定目標濃度であるときの前記室内湿度の単位時間あたりの上昇量を演算する構成にしてもよい。
【００２７】
また、制御器は、前記単位時間あたりの必要除湿量の演算値が前記除湿機の単位時間あたりの最大除湿量より大きいとき、前記除染ガス発生器に対する除染剤水溶液の投入を停止して除染ガスの発生を停止する構成にしてもよい。
【００２８】
さらに、制御器は、除染ガスの発生停止後、前記除湿機を運転して対象室の室内を除湿するとともに、その室内除湿により対象室における室内湿度の計測値が除染再開用の設定閾湿度まで低下したとき、前記除染ガス発生器に対する除染剤水溶液の投入を再開して除染ガスの発生を再開する構成にしてもよい。
【００２９】
即ち、これらの付加構成によれば、前述した第２，第４，第５特徴構成の除染方法も制御器により自動的に実施することができる。
【図面の簡単な説明】
【００３０】
【図１】除染設備の設備構成図
【図２】除湿制御の流れ図
【図３】室内凝縮判定を説明する空気線図
【発明を実施するための形態】
【００３１】
図１において、１は除染の対象室であり、この対象室１は、適時に室内除染を実施することが必要な医薬品や食品などの生産室あるいはバイオハザード施設の実験室などである。この対象室１の除染時には同図１に示すように、対象室１の室内に除染ガス発生器２、除湿機３、除染ガス分解器４を設置する。
【００３２】
なお、これら除染ガス発生器２、除湿機３、除染ガス分解器４は夫々、対象室１の室内に常時設置したものであってもよく、また、対象室１の室外に設置してダクトやホースを通じて対象室１の室内に連通させたものであってよい。
【００３３】
除染ガス発生器２には除染剤タンク５及び気化器６を内蔵してあり、この除染ガス発生器２では、除染剤タンク５に収容した除染剤水溶液Ｗ（本例では過酸化水素水溶液）を給液ポンプ７により給液路８を通じて気化器６に投入し、投入した除染剤水溶液Ｗを気化器６において加熱や超音波振動などにより蒸発気化させることで除染ガスＧ（本例では、過酸化水素蒸気）を発生させる。
【００３４】
即ち、この発生させた除染ガスＧを除染ガス発生器２から対象室１の室内に吐出させて対象室１の室内に除染ガスＧを充満させることで、除染ガスＧの殺菌力により対象室１の室内を除染する。
【００３５】
除染ガス発生器２にはその他に、除染ガス発生器２、除湿機３、除染ガス分解器４を統括して制御する制御器９を装備するとともに、対象室１における室内除染ガス濃度Ｃを計測する濃度センサ１０、及び、対象室１の室内湿度ｘ（本例では絶対湿度）を計測する湿度センサ１１を装備してある。
【００３６】
この制御器９は、準備工程、立上工程、除染工程、分解工程からなる一連の除染運転を自動的に実行するものであり、この制御器９に運転開始指令を付与すると、制御器９は先ず準備工程として、湿度センサ１１による室内湿度ｘの計測値が除染開始用の設定閾湿度ｘ１に低下するまで除湿機３を運転して対象室１の室内を予め除湿する。
【００３７】
これに続き、制御器９は立上工程として、除染ガス発生器２の運転を開始して発生させた除染ガスＧにより対象室１における室内除染ガス濃度Ｃを高めていく。
【００３８】
濃度センサ１０による室内除染ガス濃度Ｃの計測値が室内除染に有効な設定目標濃度Ｃｍまで上昇すると、制御器９は除染工程として、濃度センサ１０による室内除染ガス濃度Ｃの計測値に基づき除染ガス発生器２における給液ポンプ７の回転数や流量調整バルブの開度などを調整することで、除染ガス発生器２に対する除染剤水溶液Ｗの単位時間あたりの投入量Ｌｇ（即ち、気化器６に対する除染剤水溶液Ｗの単位時間あたりの投入量）を調整する。
【００３９】
そして、この室内除染ガス濃度Ｃの計測値に基づく除染剤水溶液Ｗの投入量Ｌｇの調整により除染ガス発生器２における除染ガスＧの単位時間あたりの発生量Ｖｇを調整することで、対象室１における室内除染ガス濃度Ｃを設定必要除染時間Ｔｊにわたって設定目標濃度Ｃｍに保持し、これにより、対象室１の室内を除染ガスＧにより十分に除染する。
【００４０】
また、制御器９はこの除染工程において必要に応じ除湿機３を運転して対象室１の室内を除湿することで、対象室１において室内除染ガスＧの凝縮が生じることを防止する。
【００４１】
除染工程において対象室１における室内除染ガス濃度Ｃを設定目標濃度Ｃｍに保持した状態で設定必要除染時間Ｔｊが経過すると、制御器９は分解工程として、除染ガス発生器２及び除湿機３の運転を停止した状態で除染ガス分解器４の運転を開始する。
【００４２】
即ち、この除染ガス分解器４の運転により、対象室１における室内除染ガスＧを除染ガス分解器４において触媒との接触や中和ガスとの接触などにより分解し、これにより、対象室１の室内除染ガス濃度Ｃを低下させる。
【００４３】
そして、この分解工程において濃度センサ１０による室内除染ガス濃度Ｃの計測値が人体に対して十分安全な設定安全濃度Ｃｏまで低下すると、制御器９は除染ガス分解器４の運転を停止して除染運転を終了する。
【００４４】
一方、この制御器９は除染工程において必要に応じ除湿機３を運転することで対象室１での室内除染ガスＧの凝縮を防止するのに、次の（イ）〜（へ）の除湿制御をごく短い設定サイクル時間ΔＴｃごとに繰り返して実行するものにしてある（図２参照）。
【００４５】
（イ）対象室における室内除染ガス濃度Ｃを設定目標濃度Ｃｍに保持した状態での対象室１における室内除染ガスＧの単位時間あたりの分解量ΔＶを演算し、この分解量ΔＶの演算値に基づいて除染剤水溶液Ｗの単位時間あたりの投入量Ｌｇを演算する。
【００４６】
即ち、除染剤水溶液Ｗの単位時間あたりの投入量Ｌｇの調整により室内除染ガス濃度Ｃを設定目標濃度Ｃｍに保持する状態では、対象室１における室内除染ガスＧの単位時間あたりの分解量ΔＶと除染剤水溶液Ｗの単位時間あたりの投入量Ｌｇとが平衡状態になり、それら分解量ΔＶと投入量Ｌｇとの間に一定の相関が生じることから、その相関に基づいて室内除染ガスＧの単位時間あたりの分解量ΔＶから除染剤水溶液Ｗの単位時間あたりの投入量Ｌｇを演算する。
【００４７】
具体的には、この投入量Ｌｇの演算として本例では、室内除染ガスＧの単位時間あたりの分解量ΔＶに相当する量として、室内除染ガスＧの分解による室内除染ガス濃度Ｃの単位時間あたりの低下量ΔＣ［ｐｐｍ／ｍｉｎ］を次の（式１）により演算し、この低下量ΔＣの演算値に基づいて除染剤水溶液Ｗの単位時間あたりの投入量Ｌｇ［ｇ／ｍｉｎ］を下記の如く演算する。
【００４８】
なお、除染ガスＧとして過酸化水素蒸気を用いる場合、その過酸化水素蒸気の分解は次式で示すものである。
２Ｈ2Ｏ2＝２Ｈ2Ｏ＋Ｏ2
【００４９】
ΔＣ＝ｋ・Ｃ    （式１）
ここで、除染工程における濃度保持状態では室内除染ガス濃度Ｃ＝設定目標濃度Ｃｍとすることができる。
ｋ：室内条件による分解係数[ｐｐｍ／（ｐｐｍ・ｍｉｎ）]（設定値）
【００５０】
一方、上記相関による現出事象の１つとして、室内除染ガス濃度Ｃを設定目標濃度Ｃｍに保持した状態では次の（式２）が成立する。
【００５１】
ΔＣ＝Ｃｇ    （式２）
Ｃｇ：除染ガスＧの発生による室内除染ガス濃度Ｃの単位時間あたりの上昇量［ｐｐｍ／ｍｉｎ］
【００５２】
また、この（式２）における室内除染ガス濃度Ｃの単位時間あたりの上昇量Ｃｇは次の（式３）により演算することができる。
【００５３】
Ｃｇ＝ｒ１・ｒ２・Ｌｇ・α    （式３）
ｒ１：除染剤水溶液Ｗの濃度［ｗｔ％］（設定値）
ｒ２：有効気化率［％］（設定値）
α：換算係数［（ｐｐｍ／ｍｉｎ）／（ｇ／ｍｉｎ）］（設定値）
【００５４】
ここで、有効気化率ｒ２は、（投入した除染剤水溶液Ｗにおける除染剤のうち分解するものを省いた実際に除染ガスになるものにより生じる実際の除染ガス濃度［ｐｐｍ］／（投入した除染剤水溶液Ｗにおける除染剤の全てが分解せずに除染ガスになるとした場合に生じる除染ガス濃度［ｐｐｍ］）を意味する。
【００５５】
即ち、（式３）における（ｒ１［ｗｔ％］・ｒ２［％］・Ｌｇ［ｇ／ｍｉｎ］）は、投入した除染剤水溶液Ｗにおける除染剤のうち分解するものを省いた実際に除染ガスになる除染剤の量［ｇ／ｍｉｎ］を意味する。
【００５６】
換算係数αは、対象室１に対する除染ガスＧの投入重量［ｇ／ｍｉｎ］を室内除染ガス濃度Ｃの上昇量Ｃｇ［ｐｐｍ／ｍｉｎ］に変換する係数であり、α＝（２２．４×１０-3［ｍ3／ｍｏｌ］）×（除染ガスＧの比重［ｋｇ／ｍ3］）／（除染剤水溶液Ｗの濃度［ｇ／ｍｏｌ］）×（対象室容積［ｍ3］）×（空気の比重［ｋｇ／ｍ3］）で与えられる。
【００５７】
上記の（式１）及び（式２）を用いて（式３）を整理すると次の（式４）が得られる。
【００５８】
Ｌｇ＝β・ｋ・Ｃ／（ｒ１・ｒ２・α）    （式４）
この（式４）おけるβは余裕率（設定値）である。
【００５９】
つまり、本例では、この（式４）に、室内除染ガスＧの単位時間あたりの分解量ΔＶに相当する量の演算値として、室内除染ガスＧの分解による室内除染ガス濃度Ｃの単位時間あたりの低下量ΔＣの演算値ｋ・Ｃ（＝ｋ・Ｃｍ）を代入するとともに、各設定値β，ｒ１，ｒ２，αを代入することで、除染剤水溶液Ｗの単位時間あたりの投入量Ｌｇを演算する。
【００６０】
（ロ）次に、この除染剤水溶液Ｗの単位時間あたりの投入量Ｌｇ［ｇ／ｍｉｎ］の演算値に基づいて対象室１における室内水分Ｈの単位時間あたりの増加量Ｈｇ［ｇ／ｍｉｎ］を演算する。
【００６１】
具体的には、室内水分Ｈの単位時間あたりの増加量Ｈｇは次の（式５）により与えられる。
【００６２】
Ｈｇ＝（１−ｒ１＋ｒ１・ｒ２）・Ｌｇ    （式５）
【００６３】
この（式５）に上記（式４）を代入すると次の（式６）が得られる。
【００６４】
Ｈｇ＝（１−ｒ１＋ｒ１・ｒ２）・β・ｋ・Ｃ／（ｒ１・ｒ２・α）    （式６）
【００６５】
つまり、本例では、除染剤水溶液Ｗの単位時間あたりの投入量Ｌｇに基づいて室内水分Ｈの単位時間あたりの増加量Ｈｇを演算するのに、上記の（式６）により室内水分Ｈの単位時間あたりの増加量Ｈｇ［ｇ／ｍｉｎ］を演算する。
【００６６】
（ハ）続いて、この室内水分Ｈの単位時間あたりの増加量Ｈｇの演算値に基づき、対象室１における室内湿度ｘの単位時間あたりの上昇量ｘｇ［（ｇ／ｋｇ′）／ｍｉｎ］を演算する。
【００６７】
そして、この室内湿度ｘの単位時間あたりの上昇量ｘｇの演算値と、その時点における湿度センサ１１による室内湿度ｘの計測値とに基づいて、除染工程中（即ち、設定必要除染時間Ｔｊが経過するまでの間）に対象室１において室内除染ガスＧの凝縮が生じるか否かを判定する
【００６８】
ここで、上記（式６）による室内水分Ｈの単位時間あたりの増加量Ｈｇ［ｇ／ｍｉｎ］の演算値は、次の（式７）により室内湿度ｘの単位時間あたりの上昇量ｘｇ［ｇ／（ｋｇ′・ｍｉｎ）］に変換することができる。
【００６９】
ｘｇ＝Ｈｇ／（ρ・Ｑ）    （式７）
ρ：空気の比重［ｋｇ／ｍ3］（設定値）
Ｑ：対象室１の容積［ｍ3］（設定値）
【００７０】
（ニ）  この（式７）による室内湿度ｘの単位時間あたりの上昇量ｘｇの演算値に基づいて、次の（式８）により設定閾時間ΔＴｓの経過後における対象室１の室内湿度ｘ（ΔＴｓ）［ｇ／ｋｇ′］を演算する。
なお、設定閾時間ΔＴｓは、除染工程の設定必要除染時間Ｔｊに比べて十分に小さく、また、除湿制御の設定サイクル時間ΔＴｃに比べて十分に大きい時間である。
【００７１】
ｘ（ΔＴｓ）＝ｘ＋ｘｇ・ΔＴｓ    （式８）
ｘ：湿度センサ１１による現在の計測室内湿度[ｇ／ｋｇ′]
【００７２】
そして、設定閾時間ΔＴｓの経過後の対象室１において室内除染ガスＧの凝縮が生じるか否かの判定として、（式８）により演算した設定閾時間ΔＴｓの経過後における対象室１の室内湿度ｘ（ΔＴｓ）の演算値と対象室１の室内乾球温度ｔ［℃］（近似的な設定値又は予測値）とにより与えられる設定閾時間ΔＴｓの経過後における対象室１の室内空気の状態点Ｐ（ΔＴｓ）を求め、この状態点Ｐ（ΔＴｓ）が、図３に示す空気線図上においてグレーで示した除染ガスＧの凝縮域Ｄの域内にあるか否かを判定する。
【００７３】
即ち、設定閾時間ΔＴｓの経過後における対象室１の室内空気の状態点Ｐ（ΔＴｓ）が除染ガス凝縮域Ｄの域内にある場合は、設定閾時間ΔＴｓの経過後の対象室１において室内除染ガスＧの凝縮が生じると判定し、また、この状態点Ｐ（ΔＴｓ）が除染ガス凝縮域Ｄの域外にある場合は、設定閾時間ΔＴｓの経過後の対象室１において室内除染ガスＧの凝縮は生じないと判定する。
【００７４】
（ホ）続いて、この判定において設定閾時間ΔＴｓの経過後の対象室１において室内除染ガスＧの凝縮が生じると判定したときには、その室内凝縮を回避するのに必要な対象室１における単位時間あたりの必要除湿量ΔＨを、室内湿度ｘの単位時間あたりの上昇量ｘｇの演算値と、その時点における湿度センサ１１による室内湿度ｘの計測値とに基づいて演算する。
【００７５】
この単位時間あたりの必要除湿量ΔＨの演算について本例では、図３に示す空気線図上において対象室１の室内乾球温度ｔで除染ガス凝縮域Ｄから所定の安全湿度差ｄｘ［ｇ／ｋｇ′］だけ離れた室内空気の状態点Ｐｍを目標状態点とし、この目標状態点Ｐｍと上記の設定閾時間ΔＴｓの経過後における室内空気の状態点Ｐ（ΔＴｓ）とにおける湿度差Δｘ［ｇ／ｋｇ′］を演算し、この湿度差Δｘの演算値を設定閾時間ΔＴｓで除した室内湿度ｘの単位時間あたりの必要低下量Δｘ／ΔＴｓを単位時間あたりの必要除湿量ΔＨとする。
【００７６】
そして、除湿機３を運転するとともに、除湿機３の単位時間あたりの除湿量Ｊ［ｇ／ｍｉｎ］（即ち、除湿機能力）を単位時間あたりの必要除湿量ΔＨ（＝Δｘ／ΔＴｓ）の演算値に応じた量に調整して対象室１の室内を除湿し、これにより、除染工程中に対象室１において室内除染ガスＧの凝縮が生じるのを回避する。
【００７７】
なお、上記の判定において設定閾時間ΔＴｓの経過後の対象室１において室内除染ガスＧの凝縮は生じないと判定したときには除湿機３の運転による対象室１の室内除湿は行わない。即ち、このことで除湿機３の必要以上の無駄な運転を回避する。
【００７８】
（へ）また、上記の判定において設定閾時間ΔＴｓの経過後の対象室１において室内除染ガスＧの凝縮が生じると判定したとき、上記単位時間あたりの必要除湿量ΔＨの演算値が除湿機３の単位時間あたりの最大除湿量Ｊｍａｘより大きい場合には、除染剤水溶液Ｗの投入を停止して除染ガス発生器２での除染ガスＧの発生を停止することで除染工程を中断し、この中断状態において除湿機３の単位時間あたりの除湿量Ｊを最大除湿量Ｊｍａｘに調整した状態で除湿機３を運転する。
【００７９】
そして、この除染工程中断状態での除湿機３の運転により湿度センサ１１による室内湿度ｘの計測値が除染再開用の設定閾湿度ｘ２まで低下すると、除染剤水溶液Ｗの投入を再開して除染ガス発生器２での除染ガスＧの発生を再開するとともに、室内除染ガス濃度Ｃを再び設定目標濃度Ｃｍに調整して保持する状態に戻って除染工程を再開する。また、この除染工程の再開に伴い、これら（イ）〜（へ）の除湿制御の繰り返しも再開する。
【００８０】
即ち、この除染工程の再開の後、再び単位時間あたりの必要除湿量ΔＨ（＝Δｘ／ΔＴｓ）の演算値として除湿機３の単位時間あたりの最大除湿量Ｊｍａｘより大きい演算値が演算されて除染ガスｇの発生を再度停止させたとしても、その後、除湿機３の運転で湿度センサ１１による室内湿度ｘの計測値が除染再開用の設定閾湿度ｘ２まで再び低下すると除染工程が再び再開され、これにより、除染工程を間欠的（断続的）に実施する形態で除染工程を完了できるようにしてある。
【００８１】
なお、この除染工程の間欠実施では、制御器９は、各回の除染工程再開後において対象室１における室内除染ガス濃度Ｃが設定目標濃度Ｃｍに調整されて保持された状態での経過時間ΔＴｊを積算し、これら経過時間ΔＴｊの積算値が設定必要除染時間Ｔｊに達したときに除染工程を完了して次の分解工程に移行する。
【００８２】
〔別実施形態〕
次に本発明の別実施形態を列記する。
【００８３】
前述の実施形態では、室内除染ガスＧの単位時間あたりの分解量ΔＶに相当する室内除染ガス濃度Ｃの単位時間あたり低下量ΔＣを演算して、この室内除染ガス濃度Ｃの単位時間あたり低下量ΔＣの演算値に基づき除染剤水溶液Ｗの単位時間あたりの投入量Ｌｇを演算するようにしたが、これに代え、対象室１における室内除染ガスＧの単位時間あたりの分解量ΔＶそのものや、その分解量ΔＶに対する他の相当量を演算して、その演算値に基づき除染剤水溶液Ｗの単位時間あたりの投入量Ｌｇを演算するようにしてもよい。
【００８４】
前述の実施形態では、除染実施中における室内除染ガスＧの凝縮を回避するのに必要な単位時間あたりの必要除湿量ΔＨに相当する室内湿度ｘの単位時間あたりの必要低下量Δｘ／ΔＴｓを演算して、この室内湿度ｘの単位時間あたりの必要低下量Δｘ／ΔＴｓに応じて除湿機３の単位時間あたりの除湿量Ｊを調整するようにしたが、これに代え、対象室１における単位時間あたりの必要除湿量ΔＨ（即ち、室内水分の単位時間あたりの必要低下量）そのものや、その必要除湿量ΔＨに対する他の相当量を、室内湿度ｘの単位時間あたりの上昇量ｘｇの演算値と、その時点における対象室１の室内湿度ｘの計測値とに基づき演算して、その演算値に応じて除湿機３の単位時間あたりの除湿量Ｊ（除湿機能力）を調整するようにしてもよい。
【００８５】
また、対象室１における単位時間あたりの必要低下量ΔＨを演算するのに、前述の実施形態では、除染ガス凝縮域Ｄから所定の安全湿度差ｄｘだけ離れた室内空気の目標状態点Ｐｍを設定する演算方式を用いたが、対象室１における単位時間あたりの必要低下量ΔＨを、室内湿度ｘの単位時間あたりの上昇量ｘｇの演算値と、その時点における対象室１の室内湿度ｘの計測値とに基づき演算する具体的な演算方式は、これに限らず、種々の演算方式を採用することができ、一例として、室内湿度ｘの単位時間あたりの上昇量ｘｇの演算値を単位時間あたりの必要低下量ΔＨに相当する量とするようにしてもよい。
【００８６】
さらに、室内除染ガスＧの室内凝縮が生じるか否かの判定及び単位時間あたりの必要低下量ΔＨの演算に用いる室内湿度ｘの単位時間あたりの上昇量ｘｇの演算値、及び、その時点における対象室１の室内湿度ｘの計測値の夫々も絶対湿度に限らず、室内乾球温度ｔを特定した室内相対湿度などの相当量の演算値であってもよい。
【００８７】
前述の実施形態では、室内除染ガスＧの室内凝縮が生じるか否かの判定、及び、その判定結果に基づく除湿機３の制御を、室内除染ガス濃度Ｃが設定目標濃度Ｃｍに調整された状態にある除染工程で行うようにしたが、これらの判定及びその判定結果に基づく除湿機３の制御を、室内除染ガス濃度Ｃの設定目標濃度Ｃｍへの上昇過程である除染運転の立上工程においても実施するようにしてもよい。
【００８８】
前述の実施形態では、除染ガス発生器２での除染ガスＧの発生に先立ち準備工程として除湿機３の運転により対象室１の室内を予め除湿するようにしたが、本発明の実施においては、この準備工程を省略するようにしてもよい。
【００８９】
また、前述の実施形態では、除染工程の終了に続き分解工程において除染ガス分解器４の運転により対象室１の室内除染ガス濃度Ｃを設定安全濃度Ｃｏまで低下させるようにしたが、これに代えて、除染工程の終了に続き対象室１に対する換気用の給排気運転により対象室１の室内除染ガス濃度Ｃを設定安全濃度Ｃｏまで低下させるようにしてもよい。
【００９０】
本発明の実施において使用する除染剤水溶液Ｗは、過酸化水素水溶液に限られるものではなく、その除染剤水溶液Ｗから発生させる除染ガスＧの凝縮が室内湿度ｘの上昇により助長されるものであれば、どのような除染剤水溶液であってもよい。
【産業上の利用可能性】
【００９１】
本発明の除染方法及び除染システムは、除染剤水溶液から発生させる除染ガスにより室内を除染する必要がある種々の分野において利用することができる。
【符号の説明】
【００９２】
２            除染ガス発生器
Ｗ            除染剤水溶液
Ｇ            除染ガス
１            対象室
Ｌｇ          除染剤水溶液の単位時間あたりの投入量
Ｖｇ          除染ガスの単位時間あたりの発生量
Ｃ            室内除染ガス濃度
Ｃｍ          設定目標濃度
ｘ            室内湿度
ｘｇ          室内湿度の単位時間あたりの上昇量
３            除湿機
ΔＶ          室内除染ガスの単位時間あたりの分解量
ΔＨ          単位時間あたりの必要除湿量
Ｊ            除湿機の単位時間あたりの除湿量
Ｊｍａｘ      除湿機の単位時間あたりの最大除湿量
ｘ２          除染再開用の設定閾湿度
９            制御器
【図１】
2014150837.tif 000003
【図２】
2014150837.tif 000004
【図３】
2014150837.tif 000005